(57)【特許請求の範囲】
【請求項１】
両端開口した二列の球通路を備えた本体と、
前記二列の球通路に対応して前記本体内に正逆回転可能に配設された複数の検知レバーと、
前記各検知レバーの移動にともないそれぞれ独立して開閉する２つの接点とを備え、
前記各接点は、前記検知レバーに付勢されて移動する可動接触片と、その可動接触片と対に配置された固定接触片とにより形成し、
前記固定接触片のそれぞれを導通状態にする一方、前記可動接触片のそれぞれに外部回路との接続用の端子部を設け、
前記端子部間に前記２つの接点が直列に配置されてなることを特徴とするパチンコ用球検出器。
【請求項２】
前記検知レバーの下流側底面が、前記球通路側に向けて傾斜するテーパー面にしてなることを特徴する請求項１に記載のパチンコ用球検出器。
【請求項３】
前記検知レバーは、前記球通路内に存在する球と当接可能なレバー本体と、そのレバー本体の回転中心となる回転筒体とを有し、
前記回転筒体は、軸方向の所定部位の径を細くした首部を備え、その首部の両側に頭部と胴部を有する形状とし、
前記胴部側に前記レバー本体を接続するとともに、前記頭部側に前記可動接触片を付勢する作動突起を設け、
かつ前記本体内に、前記接点を収納するとともに、その接点を収納する領域と前記球通路とを仕切部材で仕切るように構成し、
前記本体内に前記検知レバーを配設した際に、前記仕切部材の開放側に設けた凹部に前記首部が支持され、前記頭部が前記接点を収納する領域側に位置し、前記胴部が前記玉通路側に位置するようにしたことを特徴とする請求項１または２に記載のパチンコ用球検出器。
【請求項４】
前記可動接触片に所望の弾性力を持たせ、
その弾性力により前記検知レバーが前記球通路内に突出する方向に常時付勢するようにしたことを特徴とする請求項１〜３のいずれか１項に記載のパチンコ用球検出器。
【発明の詳細な説明】
【０００１】
【産業上の利用分野】
本発明は、パチンコ用球検出器に関するもので、より具体的には、球タンクから球放出装置に対して供給される球通路に実装され、球放出装置内またはそれに連続する球通路内に所定数の球（パチンコ球）が存在しているか否かを検出するための検出器に関する。
【０００２】
【従来の技術】
良く知られているように、パチンコ機の裏面側の上方に設置された球タンクから球通路を介して球放出装置内に常時所定数の球を供給するようにしている。そして、球放出装置内に一時貯留された球は、パチンコ機の前面所定位置に配置された入賞口内に球が入った場合に、予め定められた数の球を前面に設置された球皿に排出するようにしている。また、最近では、球を購入する際にパチンコ機に対してプリペイドカード等を挿入することにより、上記球放出装置を操作させ所定数の球を前面の球皿に供給するようにしている。
【０００３】
すなわち、球放出装置は、所定の制御命令を受けると、それに応じた個数の球を放出する必要があるので、一度に放出する最大個数以上の球を常時ストックしておく必要がある。そのため、球通路に球検出器（球切れ検出器）を設置し、その設置位置まで球が存在しているか否かを判断し、当該位置まで球が存在している場合には、球放出装置及びその上流側に続く球通路内に所定個数以上の球が存在すると認識するようにし、通常の処理を行う。一方、存在しない場合には、球放出処理を一時停止し、たとえば入賞口通過に伴う球の放出の場合には、その入賞した球の数を記憶し、球放出装置に所定数の球が貯留された後で上記記憶した数に基づいて球の放出処理を行う。また、プリペイドカード等を用いた新規購入の場合には、係る購入処理を一時停止するようにしている。
【０００４】
そして、上記球の検知を行う検出器としては、一般にマイクロスイッチを用いて行われている。一例を示すと図８に示すように、球通路１の側面所定位置に形成した開口部１ａにマイクロスイッチ２を取り付け、無負荷状態でマイクロスイッチ２の検知レバー３が球通路１内に侵入するようにしている。これにより、球通路１内を球４が通過すると、球４により検知レバー３が付勢され、検知レバー３は、その上端部を支点として反時計方向に回転し、同図中二点鎖線に示すようになり、接点５を押下しスイッチをＯＮにする。
【０００５】
そして、実際には球通路１の下流側には球放出装置が配置され、その装置内に球が一時的に貯留されるため、球通路１内の少なくとも球検知器を設置した位置以上までは球が充填されており、正常状態ではスイッチがＯＮになっている。なお、検知レバー３の回転にともなうスイッチのＯＮ／ＯＦＦ状態を逆にすることにより、球が存在しない時にＯＮ（不存在を検知）信号を発するようにしたものもある。
【０００６】
さらに、球通路１は、２列にして設けるのが一般的であるので、上記球検出器を各列にそれぞれ設け、各マイクロスイッチからの信号に基づきすべての列に球が存在している場合に正常と判断するようにしている。
【０００７】
【発明が解決しようとする課題】
しかしながら、上記した従来の球検出器は、以下に示す問題を有している。すなわち、各列に対して、それぞれ独立に設置していたため、その取り付け作業が煩雑となるばかりでなく、高価なマイクロスイッチ４を２個必要とし、コスト高を招いている。さらに、個々の球検出器から独自に信号が送られるため、制御装置のプログラムも複雑化する。
【０００８】
また、各球検出器は、球通路１に形成した開口部１ａに装着するようにしたため、仮に球通路１との相対位置関係を正確に行わない、すなわち例えば無負荷時で十分に検知レバー３が球通路１内に突出していないと球通路１内を球４が通過しても十分に検知レバー３を付勢できずに接点５を押下できなくなる。したがって、係る装着処理を精度よく行う必要があり、作業がより繁雑化する。
【０００９】
さらに、球放出装置内で球が詰まった場合などは、それを検知し放出用のモータを逆回転させて加振することによりつまりを解消するようにしている。したがって、その加振時に球放出装置側より球が逆流してくるおそれがある。すると、図８に示すように、検知レバー３が球通路１内に大きく突出しているような場合には、その検知レバー３（上昇）に逆流して来た球が当接し、検知レバー３とマイクロスイッチ２側の壁との間に挟み込まれ、スイッチをオンにすることはできないばかりか、スイッチを破損するおそれもある。
【００１０】
そこで係る問題を解決するため、従来例えば特開平６−２８５２２０号公報に開示された球切れ検知装置（球がないときにＯＮ信号を出力する）の発明がある。この公報に開示された発明は、球通路にあわせて２個の検知レバーを設けるとともに、その検知レバーの一端を１枚のブリッジロッドに接触させ、そのブリッジロッドにてマイクロスイッチをＯＮ／ＯＦＦできるようにしている。そして、その発明では、マイクロスイッチは１個のみ用い、２つの検知レバーが同時にブリッジロッドを押下するとスイッチが開状態になるようにしている。
【００１１】
すると、１つのマイクロスイッチで構成されるため、コストが削減でき、また、検知装置から出力される信号も１つとなり制御装置側の処理が容易になるので、上記した問題の一部が解決される。しかし、球通路と別に構成しているため取り付けの煩雑さや球の逆流に対する問題が残る。
【００１２】
しかも、２つの検知レバーがブリッジロッドを介して１つのマイクロスイッチをＯＮ／ＯＦＦするため、ブリッジロッドを斜めにした状態で動作させるようになり、その状態で確実にＯＮ／ＯＦＦさせるためには、各部材の寸法形状や相対位置を精度よく設定しなければならず、製造・組み立てが煩雑となる。さらに、スイッチの動作ストロークを大きくとらなければならないので、いきおい検知レバーも長くなり、そのレバー上に多くの球が補給されていないと動作しないおそれがある。この様に、公開された発明では新たな問題も発生する。
【００１３】
本発明は、上記した背景に鑑みてなされたもので、その目的とするところは、上記した問題点を解決し、簡単な構成でもって確実に球を（各球通路内に存在する球が１個であっても）検出でき、接点不良を生じることがなく信頼性が高く、球通路との相対位置関係の調整が不要で、球が逆流してきても球検出器内で詰まったりすることがなくスムーズな対応ができ、コスト安となるパチンコ用球検出器を提供することにある。
【００１４】
【課題を解決するための手段】
上記した目的を達成するために、本発明に係るパチンコ用球検出器では、両端開口した二列の球通路を備えた本体と、前記二列の球通路に対応して前記本体内に正逆回転可能に配設された複数の検知レバーと、前記各検知レバーの移動にともないそれぞれ独立して開閉する２つの接点とを備え、前記各接点は、前記検知レバーに付勢されて移動する可動接触片と、その可動接触片と対に配置された固定接触片とにより形成し、前記固定接触片のそれぞれを導通状態にする一方、前記可動接触片のそれぞれに外部回路との接続用の端子部を設け、前記端子部間に前記２つの接点が直列に配置されるようにした（請求項１）。
【００１５】
そして好ましくは、前記検知レバーの下流側底面が、前記球通路側に向けて傾斜するテーパー面に形成することである（請求項２）。
【００１６】
また、前記検知レバーは、前記球通路内に存在する球と当接可能なレバー本体と、そのレバー本体の回転中心となる回転筒体とを有し、前記回転筒体は、軸方向の所定部位の径を細くした首部を備え、その首部の両側に頭部と胴部を有する形状とし、前記胴部側に前記レバー本体を接続するとともに、前記頭部側に前記可動接触片を付勢する作動突起を設け、かつ前記本体内に、前記接点を収納するとともに、その接点を収納する領域と前記球通路とを仕切部材で仕切るように構成し、前記本体内に前記検知レバーを配設した際に、前記仕切部材の開放側に設けた凹部に前記首部が支持され、前記頭部が前記接点を収納する領域側に位置し、前記胴部が前記玉通路側に位置するようにした（請求項３）。なお、上記胴部と頭部は実施例では同一径としたが、首部よりも太くなっていれば胴部と頭部の径は異なっていてもよい。さらに、胴部と頭部の長さの大小関係も任意に設定できる。
【００１７】
さらに、前記可動接触片に所望の弾性力を持たせ、その弾性力により前記検知レバーが前記球通路内に突出する方向に常時付勢するように構成してもよい（請求項４）。
【００１８】
そして、本発明でいう球検出器とは、球通路内に球が存在する場合を検出するものと、球が存在しない場合を検出する（球不存在を検出する）場合の両者を含む。すなわち、球通路内に球が存在する場合に、その球により検知レバーが付勢され回転することにより可動接触片が移動するが、その可動接触片の移動方向を固定接触片に接近する方向と、固定接触片から離反する方向のいずれに設定するかにより、球の存在／不存在を検出することに対応できる。
【００１９】
【作用】
球通路と検知レバー及びその検知レバーの移動により開閉する接点が、本体内に所定の位置関係で実装される。よって、各部品及び球通路の相対位置関係は、球検出器の製造時に精度よく行われているので、球通路内に球が存在する場合に、検知レバーがその球により確実に付勢され、接点を開閉する。
【００２０】
また、請求項２のように構成すると、球が逆流してきた場合に、その球はまずテーパー面にあたり、球が逆流しようとする力はそのテーパー面で横方向の分力が発生する。その横方向の分力により検知レバーは球通路から逃げる方向に回転する。よって、その球は検知レバーで引っ掛かったりすることなく球通路を逆流する。
【００２１】
また、請求項３のように構成すると、球通路と、接点が実装された領域には仕切部材が存在し、しかも、検知レバー側に設けた一段狭くなった首部の周囲に係る仕切部材が存在し、両空間が分離される。よって、たとえ球通路側で埃が発生したとしても（球に付着した埃が球とともに侵入してくる）、接点が実装された領域側には埃が侵入しない。
【００２２】
【実施例】
以下、本発明に係るパチンコ用球検出器の好適な実施例を添付図面を参照にして詳述する。図１は本発明の球検出器が実装されるパチンコ機１０の裏面側の一例を示している。同図に示すように、裏面側の上方に球タンク１１が設置され、その球タンク１１を介して各パチンコ機に対して球（パチンコ球）が供給されるようになっている。
【００２３】
そして、その球タンク１１の底面側には、導出樋１２ａをやや先端を下方傾斜状に配置し、球タンク１１に供給された球を逐次流出させている。その導出樋１２ａの下流側には、カーブ樋ユニット１２ｂを配設し、流出された球の進路を下方に変更するようにしている。そして、具体的な図示省略するが、導出樋１２ａ及びカーブ樋ユニット１２ｂは、いずれも全周囲が覆われたトンネル状の球通路となっており、しかも、公知のように並列に配置された２本の通路を有している。
【００２４】
そして、カーブ樋ユニット１２ｂ（球通路）の下端に球検出器１３が接続され、さらにその球検出器１３の下流側に球放出装置１４が配設される。この球放出装置１４の下流側には、２系統の排出樋１５が配設されており、球放出装置１４から放出された所定個数の球を、パチンコ機の前面側に配置された上球皿１６または下球皿１７のいずれかに案内し放出するようにしている。そして、球放出装置１４は、制御装置１８からの制御信号に基づいて所定個数の球を放出するようになっている。なお、本発明に係る球検知器１３以外の各部品１１，１２ａ，１２ｂ，１４〜１７の構成は、基本的に従来のものをそのまま適用できるため、具体的な構成並びに作用についての図示及び詳細な説明を省略する。
【００２５】
ここで、本発明の要部たる球検知器１３について詳述すると、図２〜図６に示すような構成とした。すなわち、まず上下開口した矩形状の本体２０内に、２列の球通路２１を設ける。この球通路２１は、上部がカーブ樋ユニット１２ｂ内の球通路と連通し、球通路２１の下部は球放出装置１４に連通させている。したがって、カーブ樋ユニット１２ｂ内を通過してきた球は、球通路２１を介して球放出装置１４に供給されるようになる。
【００２６】
そして、上記球通路２１は、本体２０の半分の領域に形成しており、残りの半分の領域に検出スイッチ部２２を実装している。そして検出スイッチ部２２の上方を覆うようにしてカバー２３を本体２０に装着している。そして、このカバー２３は天面２３ａの平面形状が、本体２０の平面形状を中央から２分割した際に形成される片側の長方形状と略一致するようにしており、その長方形の長辺の１つと両短辺に連続して側壁２３ｂを垂下形成し、さらにその側壁２３ｂよりさらに下側に突出する係止突片２３ｃを延長形成している。そして、カバー２３を本体２０に装着した際には、係る係止突片２３ｃが本体２０の側面に形成した係止突起２０ａと係止しあい、図２に示すように固定される。
【００２７】
さらに、図２から明らかなように、検出スイッチ部２２を実装した側の本体２０の側面には、端子部たる一対のリード端子２５が突出され、本体２０に形成された２つの球通路２１内にともに球が存在する場合に、内蔵される検出スイッチ部２２の作用により、両リード端子２５間が導通するようになっている。そして、このリード端子２５が制御装置１８に接続され、検出スイッチ部２２のＯＮ／ＯＦＦを制御装置１８で検知するようにしている。
【００２８】
次に、検出スイッチ部２２の具体的な構成について説明する。本体２０の中央部分、すなわち、球通路２１部分と検出スイッチ２２の実装部分との境界部位に２つのレバー収納部２４を形成する。このレバー収納部２４は、上下も開放されており（最終的にカバー２３を装着することによりレバー収納部２４の上部側は閉塞される）、そのレバー収納部２４の天面側には、軸受け部２５が形成されている。
【００２９】
この軸受け部２５に、検知レバー２６の上端に装着したピン２７を軸受け支持させ、検知レバー２６を軸受け部２５（ピン２７）を中心として正逆回転可能としている。さらに、レバー収納部２４の球通路２１側が開口され、球通路２１と連通状態となっている。したがって、上記検知レバー２６は、回転移動することにより、図５に示すような球通路２１内に突出する状態と、図６に示すようなレバー収納部２４内に収納される（球通路２１には突出しない）状態との間を往復移動するようになる。
【００３０】
検知レバー２６は、その上端に円筒状の回転筒部３０を有し、この回転筒部３０内にピン２７が貫通状態で固定され、一体化して回転する。さらに、回転筒部３０の外周面の所定位置には、周方向に沿って一段低く（半径が小さく）形成された首部３０ａを備えている。そして、首部３０ａの両側に頭部３０ｂと胴部３０ｃとが形成され、これら各部３０ａ〜３０ｃにより回転筒部３０が構成される。そして首部３０ａは、レバー収納部２４の仕切部材たる側壁３１の上面に形成された半円弧状の凹部３１ａ（仕切部材の開口部）に支持される。また、この首部３０ａの上側に対向するカバー２３の天面２３ａの下面所定値には、図示省略するが上記側壁３１の凹部３１ａに対応する半円弧状の凹部付きの仕切壁が垂設されその凹部も首部３０ａの周囲に近接するようになっている（なお、この天面２３ａ側の仕切壁は必ずしも設けなくてもよい）。
【００３１】
また、頭部３０ｂには逆Ｌ字状で先端が上方に向けて折曲された作動突片３３が形成され、さらに胴部３０ｃには下方に向かって突出する平板状のレバー本体３５が形成されている。そして、本実施例では、レバー本体３５の底面の球通路２１側を斜めに切除したテーパー面３５ａを形成した。
【００３２】
さらに、本体２０内に実装される検出スイッチ部２２は、上記したリード端子２５と、前記検知レバー２６に設けられた作動突片３３より付勢され弾性変形する可動接触片３７と、その可動接触片３７と導通する固定接触片３８とから構成される。そしてこれら可動接触片３７と固定接触片３８により接点が構成される。さらに、可動接触片３７は、帯状の金属片からなり、その基端部３７ａがリード端子２５にカシメつけられて一体化している。また、可動接触片３７の先端３７ｂは、上記作動突片３３と当接可能に配置される。
【００３３】
２本の帯状の固定接触片３８は、その基端側が連結片３９で接続され、平面略Ｕ字状となり、導通状態となっている。さらに連結片３９の側辺（固定接触片３８の連結側と反対側）は下方に折り曲げられて補強部３９ａが形成されている。そして、上記リード端子２５，可動接触片３７及び固定接触片３８（連結片３９）は、それぞれ金属板をプレス加工することにより、一体的に形成される。
【００３４】
そして、検出スイッチ部２２を本体２０内に実装した際には、図４〜図６に示すように、可動接触片３７と固定接触片３８とがオーバーラップするように所定の間隔をおいて平行に配置されている。そして可動接触片３７の先端３７ｂの下面が作動突片３３に当接するので、可動接触片３７のもつ弾性力によりその作動突片３７を付勢し、球がない無負荷時では図５に示すように可動接触片３７と固定接触片３８とが離反状態を保持するようになっている。そして、図６に示すように、球４０が検知レバー２６のレバー本体３５に接触すると、それを付勢し、それにともない作動突片３３が可動接触片３７の先端３７ｂを上方に付勢し、可動接触片３７と固定接触片３８とが接触し、導通（接点がオン）するように各部の位置関係が調整されている。
【００３５】
次に、上記した実施例の作用について説明する。正常に球タンク１１内に外部から球が供給され、係る球が各球通路内を通過していくと、球放出装置１４内には、所定数の球が一時貯留され、さらにその球放出装置１４に連通する各球通路内にも球が充填された状態となる。したがって、球検出器１３内の２つの球通路２１内にはともに球４０が存在する。すると、図６に示すように球通路２１内に存在する球４０により、検知レバー２６のレバー本体３５が付勢され、検知レバー２６はレバー収納部２４内に位置する。すると、両検知レバー２６に設けられた作動突片３３がそれぞれ対応する可動接触片３７を上方に付勢する。すると、２つの可動接触片３７は固定接触片３８に接触し、２つの接点がともに閉じる。そして固定接触片３８は連結片３９を介して導通されているので、２つの可動接触片３７同士も導通状態となり、その可動接触片３７に接続されたリード端子２５間が導通状態となる。よって、その状態を制御装置１８が検出し、所定数の球が球放出装置１４に貯留されていると認定され、通常の球放出操作を行う。
【００３６】
２列の球通路２１のうちいずれか１方でも球が存在しないと（両方とも存在しない場合も含む）、可動接触片３７の弾性力により作動突片３３が付勢され、検知レバー２６が図５，図６中時計方向に回転し可動接触片３７と固定接触片３８とが離反し、接点が開く。そして、２つの接点は連結片３９によって直列接続されているので、少なくとも一方の接点が開くと、リード端子２５間は非導通（ＯＦＦ）となる。したがって、接続装置１８側では、所定数の球が貯留されていないと認定し、球放出装置１４に対して放出停止命令を送る。
【００３７】
さらに、球放出装置１４内で球が詰まっているような場合には、球放出装置１４内の放出用のモータを逆回転させることにより放出装置内に貯留される球を攪拌する。この時、貯留されている球の一部が逆流し、球検出器１３内の球通路２１内にその下側から球４０が侵入してくることがある。
【００３８】
するとまず、図７（Ａ）に示すように、球４０は、検知レバー２６のレバー本体３５の底面に当接する。そして、本実施例では係る底面をテーパー面３５ａとしたため、球４０は上昇移動が許容され、そのテーパー面３５ａにそって上昇する。この球４０の上昇移動にともないレバー本体３５も反時計方向に回転する（同図（Ｂ）参照）。
【００３９】
そしてさらに上昇移動すると、同図（Ｃ）に示すように、検知レバー２６は、ほぼレバー収納部２４内に収納された状態となり、そのままさらに球４０が上昇すると、図６に示した通常の球存在を検知する状態になる。そして、この状態からたとえば球の逆流の原因となった球放出装置１４内での球の詰まりが解消されると、一旦逆流した球４０も、通常の球通路２１の通過と同様の過程を経て球放出装置１４内に戻る。
【００４０】
このように本例では、テーパー面３５ａを設けたことにより、たとえ球の逆流があったとしてもその上昇を許容し、上昇してきた球が検知レバー２６に引っ掛かったり、逆向きの力を与えたりして破損させるおそれもない。
【００４１】
さらに、本実施例では、検知レバー２６の回転筒部３０に首部３０ａを設けるとともに、その周囲を側壁３１の凹部３１ａ並びにカバー２３の天面２３ａに覆われているので、球通路２１側で発生する埃などが、検知スイッチ部２２の設置側領域まで侵入しない。すなわち、パチンコの球は比較的汚れており、埃等が付着した状態で球通路２１内に侵入することとがある。すると、球とともに埃も球通路２１内に侵入する。そして、係る埃が、可動接触片３７と固定接触片３８の間に侵入し、埃が絶縁物の場合には導通不良となり、埃が導電性を有する場合には常時接点がＯＮになるおそれがあるが、本実施例では、細径の首部３０ａの周囲に近接して仕切部材たる側壁３１が存在するので、上記のように埃の侵入を抑制し、常時接点を正常に動作可能としている。
【００４２】
さらにまた、仮に一方の球通路２１のみに球が存在した場合を考えると、一方の接点は閉じ、他方の接点は開いた状態となる。すると、一体化された２つの固定接触片３８のうち、一方（接点が開）は水平状態を維持するが、他方（接点が閉）は可動接触片３７により付勢され持ち上がった状態となる。すると、連結片３９には歪みが生じるような力が加わるが、補強部３９ａを設けたため、係る歪みの発生を抑制し、連結編３９は平板状を維持し、両固定接触片３８を正常な姿勢に保つ。
【００４３】
なお、上記した実施例では、球通路内に球が存在する場合に接点が閉じるようにしたが、可動接触片と固定接触片との位置関係を逆にすることにより、球が不存在の時に接点が閉じるようにしてもよい。
【００４４】
【発明の効果】
以上のように、本発明に係るパチンコ用球検出器では、球通路と検知レバー及びその検知レバーの移動により開閉する接点を一体化してパッケージ化したため、各部品の相対位置関係は、球検出器の製造時に精度よく行われているので、パチンコ機に実装する場合に、係る球検出器を所定位置に装着するだけでよい。そして、そのように各部の位置関係が正しく設定されているので、球通路内に存在する球により確実に検知レバーが移動し、接点を開閉させることができる。
【００４５】
また、接点は固定接触片と可動接触片により構成され、可動接触片の移動より開閉するという単純な構成としたため、故障しにくく長期にわたって信頼性が高い。また、各通路に対してそれぞれ接点を構成する可動・固定接触片を設けたため、可動接触片の移動ストロークを短くでき、その結果、検知レバーの回転角度も小さくて済み各球通路内に存在する球が１個であっても検出できる。
【００４６】
また、請求項２のように構成すると、球が逆流してきても、その球をテーパー面で受け流すことができ、係る球が球検出器内で詰まったり、球検出器自体を破損したりするおそれがなくなる。
【００４７】
また、請求項３のように構成すると、球通路と、接点が実装された領域には仕切部材が存在し、しかも、検知レバー側に設けた一段狭くなった首部の周囲に係る仕切部材が存在するので、たとえ球通路側で埃が発生したとしても（球に付着した埃が球とともに侵入してくる）、接点が実装された領域側には埃が侵入しない。したがって、係る埃が接点間に介在することがなく、接点不良を生じることを可及的に抑制でき、長期にわたって信頼性が高くなる。
【００４８】
さらに請求項４のように構成すると、球が不存在の時に検知レバーを球通路内に突出した姿勢を保持するための機構として、別部材（つるまきばねや板バネ等）を設ける必要がなく、接点として不可欠な可動接触片を利用して検知レバーの突出した姿勢への復帰及びその後の姿勢の保持を行うことができるので、部品点数が削減され、小型化及びコスト安を図ることができる。
【図面の簡単な説明】
【図１】本発明が実装されるパチンコ機の一例を示す背面図である。
【図２】本発明に係る球検出器の一実施例を示す斜視図である。
【図３】本発明に係る球検出器の一実施例を示す分解斜視図である。
【図４】カバーを外した状態を示す平面図である。
【図５】本発明に係る球検出器の一実施例を示す縦断面図である。
【図６】本発明に係る球検出器の一実施例を示す縦断面図である。
【図７】作用を説明する図である。
【図８】従来例を示す図である。
【符号の説明】
２０  本体
２１  球通路
２４  レバー収納部
２５  リード端子（端子部）
２６  検知レバー
３０  回転筒部
３０ａ  首部
３０ｂ  頭部
３０ｃ  胴部
３１  側壁（仕切部材）
３１ａ  凹部（開口部）
３５  レバー本体
３５ａ  テーパー面
３７  可動接触片
３８  固定接触片
４０  球
【図１】
0003640092.tif 000002
【図２】
0003640092.tif 000003
【図３】
0003640092.tif 000004
【図４】
0003640092.tif 000005
【図５】
0003640092.tif 000006
【図６】
0003640092.tif 000007
【図７】
0003640092.tif 000008
【図８】
0003640092.tif 000009